(57)【特許請求の範囲】
【請求項１】
横置きして回転できるようにしたドラムの一端側をごみ供給側とし且つ他端側をごみ排出側として、該ごみ供給側とごみ排出側に、ドラム内へ向けて散水できるように散水ノズル管を設置し、長手方向に多数の吹込ノズルを有する温風吹込ダクトを上記ドラム内に挿入して固定し、該温風吹込ダクト内より各吹込ノズルを通してドラム内に吹き込まれる温風によりドラム内のごみを乾燥するようにしてあるごみ乾燥機において、上記ドラム内に位置する温風吹込ダクトの全長に亘る上部に、上部を山型に形成して内部を空冷ジャケットとしたごみ堆積防止用カバーを設けると共に、上記ドラム内の上方位置と下方位置の双方又は一方に、長手方向に多数の散水ノズルを有する散水管を、ドラムの軸心方向に配設して、該散水管を上記ごみ堆積防止用カバーに固定支持させてなることを特徴とするごみ乾燥機。
【請求項２】
温風吹込ダクト内に、長手方向に多数の散水ノズルを設けた散水管を挿入して配設した請求項１記載のごみ乾燥機。
【発明の詳細な説明】
【０００１】
【発明の属する技術分野】
本発明は都市ごみの如き可燃ごみを固形燃料化する際の前主反応工程としてのごみ乾燥工程を行うために用いるキルンの型ごみ乾燥機に関するものである。
【０００２】
【従来の技術】
近年、都市ごみの如き可燃ごみを処理、加工することにより資源を再生利用することが図られており、その１つとして、都市ごみを固形燃料化してごみ固形燃料（ＲＤＦ）とする方法があり、数多くのプロセスが提案され、又、実用化されている。
【０００３】
都市ごみを固形燃料化する方法の一例を示すと図２のフローに示す如くであり、受入供給されたごみを一次破砕工程部Ｉに送って一次破砕（粗破砕）し、一次破砕したごみを前主反応工程部IIへ送って、下流の主反応工程部Ｖでの反応に適した乾燥状態となるようにごみを乾燥させ、次に、乾燥後のごみを、選別工程部IIIに送って金属類を除去してから、二次破砕工程部IVに送り、下流の圧縮成形工程部VIIでの圧縮成形に適した大きさとなるように二次破砕（細粉砕）し、次いで、二次破砕したごみを主反応工程部Ｖに送り、ここで、破砕ごみを一定時間滞留させ、混合、反応、水分蒸発を行わせて水分調整し、更に、水分調整されたごみを選別工程部VIへ送って不燃物を除去し、しかる後、このごみを圧縮成形工程部VIIへ送って所定の形状に固形化し、最後に、固形化したごみを乾燥工程部VIIIへ送り、固形化したごみの水分が所定割合以下となるように乾燥させることにより固形燃料とするようにしている。
【０００４】
上記ごみ固形燃料化方法の前主反応工程部IIで用いられるごみ乾燥機のうち、キルン型のものは、図３（イ）（ロ）にその一例の概略を示す如く、横置きとしたドラム１の長手方向の各端を、それぞれ固定配置した入口側エンドプレート２と出口側エンドボックス３とに回転シール継手４を介して回転駆動可能に支持させると共に、該ドラム１を、入口側エンドプレート２よりも出口側エンドボックス３の方がやや低くなるように傾斜させて配置し、且つ上記ドラム１の入口側エンドプレート２には給じん機９を設置し、出口側エンドボックス３には下部にごみ排出部３ａを設け、更に上記ドラム１内の中心部付近の位置に、温風発生炉５で発生させた温風６をドラム１内に吹き込むようにするための温風吹込ダクト７を挿入配置して、両端を入口側エンドプレート２と出口側エンドボックス３に固定支持させ、該温風吹込ダクト７には、入口側の給じん機９によりドラム１内に供給されたごみ１０がドラム１の回転に伴い持ち上げられて自然落下する安息角形成領域へ向けて温風６を吹き込むための吹込ノズル８を、周方向の所要角度範囲内に複数本突設すると共に長手方向に所要間隔を隔てて取り付け、更に、上記ドラム１内の安息角形成領域を超えて上方へ運ばれて落下するごみ１０が温風吹込ダクト７上面や吹込ノズル８の表面に堆積して過温状態となることを防止するために、上部を山型に形成したごみ堆積防止用カバー１１を温風吹込ダクト７の上方から吹込ノズル８の先端部を覆うように屋根状に取り付けると共に、該カバー１１内に保温材１６を充填し、温風吹込ダクト７や吹込ノズル８上へごみが堆積し難いようにすると共に、保温材１６により温風吹込ダクト７からの伝熱を抑えてごみ堆積防止用カバー１１上に堆積したごみの過温を防止できるようにし、給じん機９によりドラム１内に供給されたごみ１０を、ドラム１を矢印Ｘ方向に低速で回転させながら出口側エンドボックス３内へ排出するまでの間に、温風吹込ダクト７内から各吹込ノズル１０を通して吹き込まれる温風６により、下流の主反応工程部での反応に適した状態となるように乾燥させるようにしてある。
【０００５】
又、上記ごみ乾燥機では、たとえば、既にほぼ乾燥しているごみが供給された場合のようなごみ質の急激な変化に伴う過乾燥を防止できるようにするために、ドラム１の入口側エンドプレート２と出口側エンドボックス３の各上部位置に、散水ノズル管１２を装備させ、必要に応じ該散水ノズル管１２により散水を行ってごみ１０の乾燥状態や温度を調整できるようにしてある。
【０００６】
なお、図３（イ）において、１３はごみ１０の乾燥に供した後の排気の一部を温風発生炉５へ循環供給するための循環送風機、１４は排気の残りを他へ導く排風機、１５は温風発生炉５のバーナ５ａへ燃焼用空気を送給する送風機を示す。
【０００７】
【発明が解決しようとする課題】
ところが、上記ごみ乾燥機の場合、散水ノズル管１２からの散水によりごみ１０の乾燥状態をある程度調整することはできるが、散水ノズル管１２はドラム１の長手方向両端部側位置に装備されているだけであるため、ドラム１内に供給されているごみ１０の乾燥状況をドラム１の全長に亘って一気に調整することはできない。又、温風吹込ダクト７上のごみ堆積防止用カバー１１は、上部を山型に形成してごみ１０の堆積を防止するようにしてあるが、ごみ１０の性状、形状によっては頂部等にそのまま付着して堆積してしまうものがあり、その場合、保温材１６が充填されているため、温風吹込ダクト７からごみ堆積防止用カバー１１上の堆積ごみ１０への伝熱は保温材１６で抑えることができるが、ドラム１内を流れる温風６により上記堆積ごみ１０は直接熱せられるため過温状態になってしまうことがあり、ドラム１内のごみ１０がごみ堆積防止用カバー１１上で過温状態になったごみ１０と一緒になって、ドラム１内のごみ１０が全体的に過温状態になってしまうと共に、そのまま排出されると、下流の主反応工程部での主反応に支障を来すおそれがある。
【０００８】
そこで、本発明は、ごみの性状の急激な変化に伴ってごみが過乾燥になってしまうおそれのあるときには、ドラム内のごみの乾燥調整を全体的に一気に行うことができるようにし、又、ごみ堆積防止用カバー上に付着して堆積したごみが過温状態になることがないようにしようとするものである。
【０００９】
【課題を解決するための手段】
本発明は、上記課題を解決するために、横置きして回転できるようにしたドラムの一端側をごみ供給側とし且つ他端側をごみ排出側として、該ごみ供給側とごみ排出側に、ドラム内へ向けて散水できるように散水ノズル管を設置し、長手方向に多数の吹込ノズルを有する温風吹込ダクトを上記ドラム内に挿入して固定し、該温風吹込ダクト内より各吹込ノズルを通してドラム内に吹き込まれる温風によりドラム内のごみを乾燥するようにしてあるごみ乾燥機において、上記ドラム内に位置する温風吹込ダクトの全長に亘る上部に、上部を山型に形成して内部を空冷ジャケットとしたごみ堆積防止用カバーを設けると共に、上記ドラム内の上方位置と下方位置の双方又は一方に、長手方向に多数の散水ノズルを有する散水管を、ドラムの軸心方向に配設して、該散水管を上記ごみ堆積防止用カバーに固定支持させてなる構成とする。
【００１０】
ごみの性状の急激な変化に伴ってごみが過乾燥になってしまうような場合は、ドラム内の上方位置と下方位置の双方又は一方にある散水管の各散水ノズルから散水を行わせるようにすることにより、ドラム内にあるごみの乾燥温度を全体的に一気に調整することができる。
【００１１】
又、前記したように、ドラム内に位置する温風吹込ダクトの全長に亘る上部に、上部を山型に形成して内部を空冷ジャケットとしたごみ堆積防止用カバーを設けた構成としてあるので、ごみ堆積防止用カバー上にごみが堆積するような事態が発生しても、堆積したごみは空冷ジャケットにより積極的に冷やされるため過温状態になることがない。
【００１２】
更に、温風吹込ダクト内に、長手方向に多数の散水ノズルを有する散水管を挿入した構成とすることにより、運転停止時に、ドラム内の上下方位置の散水管からの散水に加えて、温風吹込ダクト内の散水管により同時に散水を行うようにすると、ドラム内を急冷することができる。
【００１３】
【発明の実施の形態】
以下、本発明の実施の形態を図面を参照して説明する。
【００１４】
図１（イ）（ロ）は本発明の実施の一形態を示すもので、図３（イ）（ロ）に示したと同様な構成としてあるキルン型のごみ乾燥機において、ごみ堆積防止用カバー１１の内側上部に充填してある保温材１６の部分を空冷ジャケット２１とする。すなわち、上記ごみ堆積防止用カバー１１と温風吹込ダクト７の側部との間に仕切板２４を全長に亘り設けて、温風吹込ダクト７の上部とごみ堆積防止用カバー１１との間に空間部を形成し、該空間部の一端に冷却用空気の供給部２１ａを、又、空間部の他端に冷却用空気の排出部２１ｂをそれぞれ設けて、該空間部を空冷ジャケット２１とし、ごみ堆積防止用カバー１１上に堆積したごみ１０を空冷ジャケット２１で積極的に冷却できるようにする。
【００１５】
又、ドラム１内の上部位置に、長手方向に所要間隔を隔てて多数の散水ノズル１７が上向きに設けてある散水管１８を、ドラム１の長手方向に沿うよう導設して、該散水管１８を、上記ごみ堆積防止用カバー１１の頂部に固定支持させると共に、上記ドラム１内の下部位置に、長手方向に所要間隔を隔てて多数の散水ノズル１９が下向きに設けてある散水管２０を、ドラム１の長手方向に沿うよう導設して、該散水管２０を、上記ごみ堆積防止用カバー１１の下端縁に固定支持させ、これら散水管１８，２０の各散水ノズル１７，１９によりドラム１内の全長領域に亘り同時に散水させられるようにする。
【００１６】
更に、上記温風吹込ダクト７内の下部位置に、長手方向に所要間隔を隔てて多数の散水ノズル２２が上向きに設けてある散水管２３を、温風吹込ダクト７の長手方向に沿うよう導設して固定し、該散水管２３の散水ノズル２２により温風吹込ダクト７内に全長に亘り散水させられるようにする。
【００１７】
上記構成としてあるごみ乾燥機の運転を行う場合は、ドラム１を低速で回転させながら、温風発生炉５から温風吹込ダクト７内に導いた温風６を吹込ノズル８を通してドラム１内に吹き込むようにし、且つ温風吹込ダクト７の上部に装備させてあるごみ堆積防止用カバー１１内の空冷ジャケット２１に冷却用空気を流通させるようにする。かかる状態において、給じん機９によりドラム１内にごみ１０を順次供給して行くようにすると、ドラム１内に供給されたごみ１０は、従来の場合と同様に、エンドプレート２側からエンドボックス３側へ移動させられる間に、ドラム１の回転による撹拌作用を受けつつ吹込ノズル８より吹き込まれる温風６により乾燥させられて、エンドボックス３の部分から排出されることになる。
【００１８】
上記のような運転状態において、ドラム１の回転に伴い安息角形成領域を超えて上方へ運ばれた後に落下するごみ１０がごみ堆積防止用カバー１１上に付着して堆積した場合、この堆積ごみ１０を空冷ジャケット２１により積極的に冷やすことができるので、ドラム１内に吹き込まれた温風６により過温状態になることを防止することができる。したがって、ごみ堆積防止用カバー１１上に堆積したごみ１０が落下させられてもドラム１内のごみが過温状態になることがなくなり、又、そのまま排出されても、下流の主反応工程部での主反応に支障を来すことがなくなる。
【００１９】
又、本発明においては、ドラム１内の上方位置と下方位置に散水管１８と２０がドラム１の長手方向に平行に配設してあるので、たとえば、既にほぼ乾燥しているようなごみ１０がドラム１内に供給されてごみ１０が過乾燥状態となるような場合にも、上記散水管１８，２０の各散水ノズル１７，１９によりドラム１内の長手方向全域に亘り一気に散水を行うようにすることができる。これにより、ごみ１０に適度の湿り気を与えることができ、過乾燥を防止することができる。この際、必要に応じドラム１の両端部側の散水ノズル管１２による散水を併用するようにしてもよい。
【００２０】
ごみ乾燥機の運転を停止する場合において、ドラム１を速やかに冷却する必要があるときには、上記散水管１８，２０により散水を行うようにすることに加えて、温風吹込ダクト７内に導設してある散水管２３からも散水を行うようにする。これにより、ドラム１を急冷することができる。
【００２１】
なお、本発明は上記実施の形態にのみ限定されるものではなく、たとえば、散水管１８と２０をドラム１内の上方位置と下方位置の両方に配設した場合を示したが、いずれか一方のみでもよいこと、その他本発明の要旨を逸脱しない範囲内において種々変更を加え得ることは勿論である。
【００２２】
【発明の効果】
以上述べた如く、本発明のごみ乾燥機によれば、横置きして回転できるようにしたドラムの一端側をごみ供給側とし且つ他端側をごみ排出側として、該ごみ供給側とごみ排出側に、ドラム内へ向けて散水できるように散水ノズル管を設置し、長手方向に多数の吹込ノズルを有する温風吹込ダクトを上記ドラム内に挿入して固定し、該温風吹込ダクト内より各吹込ノズルを通してドラム内に吹き込まれる温風によりドラム内のごみを乾燥するようにしてあるごみ乾燥機において、上記ドラム内に位置する温風吹込ダクトの全長に亘る上部に、上部を山型に形成して内部を空冷ジャケットとしたごみ堆積防止用カバーを設けると共に、上記ドラム内の上方位置と下方位置の双方又は一方に、長手方向に多数の散水ノズルを有する散水管を、ドラムの軸心方向に配設して、該散水管を上記ごみ堆積防止用カバーに固定支持させてなる構成としてあるので、ごみが過乾燥になるおそれがあるときには、ドラム内に配設した散水管の多数の散水ノズルを通して散水を行うことにより、ドラム内のごみの乾燥調整を、ドラム内の全長に亘って一気に行うことができ、又、前記したように、ドラム内に位置する温風吹込ダクトの全長に亘る上部に、上部を山型に形成して内部を空冷ジャケットとしたごみ堆積防止用カバーを設けた構成としてあるので、ごみ堆積防止用カバー上にごみが堆積しても、堆積ごみを空冷ジャケットで積極的に冷却することができて過温状態とすることを防止することができ、更に、温風吹込ダクト内に、長手方向に多数の散水ノズルを設けた散水管を挿入して配設した構成とすることにより、該散水管による散水をドラム内の散水管による散水と併用させることで、運転停止時にドラムを急冷することができて有利となる、等の優れた効果を発揮する。
【図面の簡単な説明】
【図１】本発明のごみ乾燥機の実施の一形態を示すもので、（イ）は全体の概略図、（ロ）は（イ）のＡ−Ａ方向矢視図である。
【図２】都市ごみを固形燃料化する方法の一例を示すフローである。
【図３】従来のキルン型ごみ乾燥機の一例を示すもので、（イ）は全体の概略図、（ロ）は（イ）のＢ−Ｂ方向矢視図である。
【符号の説明】
１  ドラム
６  温風
７  温風吹込ダクト
８  吹込ノズル
１０  ごみ
１１  ごみ堆積防止用カバー
１２  散水ノズル管
１７  散水ノズル
１８  散水管
１９  散水ノズル
２０  散水管
２１  空冷ジャケット
２２  散水ノズル
２３  散水管
【図１】
0004360030.tif 000002
【図２】
0004360030.tif 000003
【図３】
0004360030.tif 000004